(57)【要約】【課題】手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンを提供すること。【解決手段】着用者の身体の少なくとも前面側を覆う柔軟なシートからなるエプロン本体とエプロン本体を着用者の首に係止する係止部を備えたエプロンにおいて、係止部は、首掛け部と挿入部および前二者を接続する接続部からなる剛性を有する軽量な棒状体と、首掛け部端部と挿入部端部の間に形成した開口部からなり、エプロン本体をその挿入部に一体的に取り付けた係止部が取り囲む首嵌入部は、首を嵌入した状態で係止部を自在に回せる様に十分大きく構成する。【選択図】          図1
2008240180.tif 000002
【特許請求の範囲】
【請求項１】
着用者の身体の少なくとも前面側を覆う柔軟なシートからなるエプロン本体とエプロン本体を着用者の首に係止する係止部を備えたエプロンにおいて、係止部は、首掛け部と挿入部および前二者を接続する接続部からなる剛性を有する軽量な棒状体と、首掛け部端部と挿入部端部の間に形成した開口部からなり、エプロン本体をその挿入部に一体的に取り付けた係止部が取り囲む首嵌入部は、首を嵌入した状態で係止部を自在に回せる様に十分大きく構成したことを特徴とする自立支援エプロン。
【請求項２】
前記係止部において、首掛け部は、「へ」の字状もしくは類似の形状を呈し、挿入部は、該「へ」の字の底辺に略平行であることを特徴とする請求項1に記載の自立支援エプロン。
【請求項３】
前記係止部において、首掛け部と挿入部の端部および挿入部と接続部との連結部の少なくとも一箇所以上を前記棒状体よりも太くし、握り部を構成したことを特徴とする請求項１および２に記載の自立支援エプロン
【請求項４】
前記係止部において、握り部は、棒状体と別体であり、ねじ、接着、カシメ、締まり嵌めなどの接続法によって、前記端部および連結部に一体化したことを特徴とする請求項１、２、３に記載の自立支援エプロン。
【請求項５】
前記係止部において、棒状体を前記連結部で分割し、握り部によって一体的に連結したことを特徴とする請求項１、２、３、４に記載の自立支援エプロン
【請求項６】
前記エプロン本体において、エプロン本体の上部に、前記挿入部を収容して一体化する、両端部に開口を有する袋状の収容部を形成したことを特徴とする請求項１に記載の自立支援エプロン。
【請求項７】
前記エプロン本体において、収容部は、面ファスナーやボタン、スライドファスナーなどの開閉具によって袋状に形成されており、その展開によって係止部との分離および一体化が自在であることを特徴とする請求項１および６に記載の自立支援エプロン。
【請求項８】
前記請求項１ないし７のいずれか１項に記載の構成を備えることを特徴とする自立支援エプロン。
【発明の詳細な説明】
【技術分野】
【０００１】
本発明は、手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンに関するものである。
【背景技術】
【０００２】
エプロンはごく一般的な防汚器具であり、様々な場面で使われているが、家庭や病院、介護施設および乳幼児施設などにおいては、食事の際の食べこぼしによる衣服やテーブル、床などの汚れを防ぐ目的で頻繁に使われている。
【０００３】
これらのエプロンは、布など柔軟なシート材からなるエプロン本体と係止部とからなるが、その多くは首に係止して着用する物であり、その係止は、エプロン本体の上部に取り付けた紐で結ぶ方法、面ファスナーで接着する方法、ボタンで止める方法、また、輪にした紐に頭を下方から通す方法などで行われる。しかし、これらの方法は、いずれも頭頂部や後頭部を通過させ、首の後ろで係止作業を行う方法であり、その作業は健常者にとっても煩わしい物であり、ましてや、手を頭頂部まで上げられない、後頭部に回せない、また、片手しか使えないなどのハンディキャップを持ち、首の後ろで複雑な作業をこなせない多くの着用者にとっては極めて困難な作業である。したがって、前記着用者は、自力で着用したくともできず、できたとしても多くの時間を要するので、結局介護者に着けてもらっているのが実情である。
【０００４】
そこで、そうした作業を可及的に容易にするために、例えば実用新案登録３１１８５１４や特開２００４−２７４２２などで開示されているように、合成樹脂等の弾性材料からなるリングの一部を切り離して環状に形成し、その切り離し端部を首側に向けてエプロン本体に取り付けて係止部を構成したエプロンが発明されている。このエプロンは、弾性係止部材を拡開しながら着用者の胸元から首に外嵌し、その弾性復元力によって首に係止するものである。したがって、係止作業は全て胸元で行えるので、前記の様なハンディキャップをもつ着用者でも、片手しか使えない者を除けば自力で着用可能となる。
【０００５】
しかしながら、この弾性復元力による係止には、着用者の首を圧迫し過ぎたり、逆にゆるくて脱落したりするという問題があり、更には、経年劣化による復元逆に、ゆるくて抜け落ちたりすると言う問題があり、更に、経年劣化による復元力の低下という問題もある。しかも、脱落を防止するために、復元力を強めようと、前記切り離し端部を近づけたり、重なりを大きくしたりすると、前記の問題を解決できないばかりか増幅し、過度の圧迫によって着用者に不快感を与え、また、過度の拡開によって係止部のへたりや破損が生ずるので、その改善には限度があると言わざるを得ない。
【特許文献１】実用新案登録第３１１８５１４号
【特許文献２】特開２００４−２７４２２号
【発明の開示】
【発明が解決しようとする課題】
【０００６】
本発明は以上のような問題点に鑑みてなされたものであって、手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンの提供を目的とするものである。
【課題を解決するための手段】
【０００７】
前記目的を達成するため、本発明は、着用者の身体の少なくとも前面側を覆う柔軟なシートからなるエプロン本体とエプロン本体を着用者の首に係止する係止部を備えたエプロンにおいて、係止部は、首掛け部と挿入部および前二者を接続する接続部からなる剛性を有する軽量な棒状体と、首掛け部端部と挿入部端部の間に形成した開口部からなり、エプロン本体をその挿入部に一体的に取り付けた係止部が取り囲む首嵌入部は、首を嵌入した状態で係止部を自在に回せる様に十分大きく構成している。（請求項１）
【０００８】
前記構成において、首掛け部は、「へ」の字状もしくは類似の形状を呈し、挿入部は、該「へ」の字の底辺に略平行に構成している。（請求項２）
【０００９】
また、前記構成において、首掛け部と挿入部の端部および挿入部と接続部との連結部の少なくとも一箇所以上を前記棒状体よりも太くし、握り部を構成している。（請求項３）
【００１０】
また、前記構成において、握り部は、棒状体と別体であり、ねじ、接着、カシメ、締り嵌めなどの接続法によって、前記端部および連結部に一体化するよう構成している。（請求項４）
【００１１】
また、前記構成において、棒状体を前記連結部で分割し、握り部によって一体的に連結して構成している。（請求項５）
【００１２】
また、前記構成において、エプロン本体の上部に、前記挿入部を収容して一体化する、両端部に開口を有する袋状の収容部を形成して構成している。（請求項６）
【００１３】
また、前記構成において、収容部は、面ファスナーやボタン、スライドファスナーなどの開閉具によって袋状に形成されており、その展開によって係止部の分離および一体化が自在であるよう構成している。（（請求項７）
【発明の効果】
【００１４】
請求項１の発明によれば、着用者の身体の少なくとも前面側を覆う柔軟なシートからなるエプロン本体とエプロン本体を着用者の首に係止する係止部を備えたエプロンにおいて、係止部は、首掛け部と挿入部および前二者を接続する接続部からなる剛性を有する軽量な棒状体と、首掛け部端部と挿入部端部の間に形成した開口部からなるので、構成は極めて単純である。着用は、開口部を胸元から首に向けて嵌入し、嵌入後、首掛け部を後頭部側に、エプロン本体を胸元に来るよう回せば、係止着用が完了するので、手を頭頂部や後頚部に回す必要はなく、係止作業の全てを胸元で完了でき簡単である。また、係止部は、剛性を有する軽量な棒状体であり、弾性復元力を利用する場合のような、拡開作業が不要であるので、片手での係止着用が可能である。また、復元力の低下といった問題も起こりえない。また、エプロン本体をその挿入部に一体的に取り付けた係止部が取り囲む首嵌入部は、首を嵌入した状態で係止部を自在に回せる様に十分大きく構成しているので、首が圧迫されることはない。
【００１５】
また、請求項２の発明によれば、首掛け部は、「へ」の字状もしくは類似の形状を呈し、挿入部は、該「へ」の字の底辺に略平行に構成しているので、首掛け部が後頚部に確実に嵌り込んで安定し、挿入部が顎の下で両肩に平行になるので、挿入部に取り付けられたエプロン本体は胸元を確実に覆う事ができる。
【００１６】
また、請求項３の発明によれば、首掛け部と挿入部の端部および挿入部と接続部との連結部の少なくとも一箇所以上を前記棒状体よりも太くし、握り部を構成しているので、握り易く、係止着用がより容易である。
【００１７】
また、請求項４の発明によれば、握り部は、棒状体と別体であり、ねじ、接着、カシメなどの接続法によって、前記端部および連結部に一体化するよう構成しているので、握り部の形成が容易である。また、接続をねじによって行えば、握り部の取り外しが容易であり、したがって、エプロン本体の収容部を縫製によって形成しても、エプロン本体の分離・一体化が自在となる。更に、首嵌入部の大きさも調整可能である。なお、前記の接続法を部位に応じて組み合わせて使っていいことは言うまでもないところである。
【００１８】
また、請求項５の発明によれば、棒状体を前記連結部で分割し、握り部によって一体的に連結して構成しているので、連結部における握り部の形成が容易である。
【００１９】
また、請求項６の発明によれば、エプロン本体の上部に、前記挿入部を収容して一体化する、両端部に開口を有する袋状の収容部を形成しているので、エプロン本体と挿入部との一体化が容易である。
【００２０】
また請求項７の発明によれば、収容部は、面ファスナーやボタン、スライドファスナーなどの開閉具によって挿入部を包み込むに十分な袋状に形成されており、その展開によって剛体である係止部との分離および一体化が自在であるので、洗濯や清拭が容易であり、ＴＰＯに合わせて交換することも可能である。また、右勝手、左勝手を自由に切り替えることも可能である。
【００２１】
以上、本発明によれば、手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンを提供することができる。
【発明を実施するための最良の形態】
【００２２】
以下、図面に基づきこの発明の最良の実施形態について述べる。なお、以下に述べる実施の形態は、本発明の最良の具体例であるから、技術的に好ましい限定が付されているが、本発明の範囲は、以下の説明において特に本発明を限定する旨の記載がない限り、これらの態様に限られるものではない。
【００２３】
まず、図１および２において、自立支援エプロン１は、着用者の身体の少なくとも前面側を覆うエプロン本体２と該エプロン本体を着用者の首に係止する係止部３からなる。
【００２４】
エプロン本体２は、柔軟なシートからなり、その上部に、両端部に開口を有する袋状の収容部２１が、下縁には、食べこぼした物を受けるポケット２３が開口部を上方に向けて形成してある。なお、収容部は、図３、４、および８で示すように、エプロン本体の上縁を裏側に折り返し、その合わせ面に対向して取り付けた開閉具・面ファスナー２２によって展開可能かつ挿入部３２を包み込むに十分な袋状に形成されている。よって、エプロン本体は剛体である係止具から容易に取り外しできるので、洗濯や清拭が容易であり、ＴＰＯに合わせて交換することも可能である。また、右勝手、左勝手を自由に切り替えることも可能である。なお、開閉具は面ファスナーに限る物ではなく、ボタンやスライドファスナーなどの開閉具によってもよいことは当然である。また、取外しの必要がない場合は、縫製や両面粘着テープなどによって開閉できないようにしてもよいことも当然である。
【００２５】
係止部３は、図３および４で示すように、首掛け部３１とエプロン本体２を取り付ける挿入部３２および前二者を接続する接続部３３からなる剛性を有する軽量な棒状体３４と、首掛け部３１端部と挿入部３２端部とに一体的に設けた握り部３７と、分割された挿入部と接続部とを連結すべく、連結部３６に一体的に設けた握り部３７および前記握り部の間に形成した、開口部３５からなる。
【００２６】
なお、開口部３５は、首の横幅より広く形成し、エプロン本体２をその挿入部３２に一体的に取り付けた係止部３が取り囲む首嵌入部３８は、首を嵌入した状態で係止部を自在に回せる様に十分大きく構成している。ただし、首掛け部３１と挿入部３２との間隔は、エプロン本体と首の間が必要以上に開かぬよう、首の縦幅よりわずかに大きくするに留めている。
【００２７】
また、首掛け部３１は、「へ」の字状を呈し、挿入部３２は、該「へ」の字の底辺に略平行に構成している。したがって、首掛け部は後頚部に確実に嵌り込んで安定し、挿入部が顎の下で両肩に平行になるので、挿入部に取り付けられたエプロン本体は胸元を確実に覆う事ができる。なお、身体が変形している場合やエプロン本体の重量によって傾く場合は、図３に示すように、挿入部の先端をあらかじめ上方に曲げておいてもかまわない事は当然である。
【００２８】
また、握り部３７は球状を呈し、該握り部に開けた挿入穴に首掛け部３１および挿入部３２の端部を挿し込み、接着剤によって一体化している。また、分割された挿入部と接続部３３を連結すべく連結部３６に一体的に設けた球状の握り部３７は、該握り部に開けた挿入穴に両者の端部を挿し込まれ、接着剤によって一体化されているので、製作が極めて容易である。
【００２９】
なお、握り部３７は、球状に限らず、握り易い多角体であっても当然よく、その一体化も、接着に限定するものではなく、図５ないし７に示すように、ねじ３９止めやカシメ、締り嵌めなどの接続法によってもよいことは当然である。また、特に図示しないが、握り部を分割してねじ止めや接着剤で一体化してもいいことは勿論である。
【００３０】
また、係止部を軽量化するために、棒状体３４は、剛性を有する樹脂やアルミなどの軽量材料からなるパイプ材を使用する事が望ましい。また、握り部３７は、木製やアルミ製もしくはプラスチック製などの中空体にすることが望ましい。ただし、コストや技術面からむく材を使う場合のあることは当然である。また、各部位を、必要に応じて布などで包んだり、塗装や漆塗りなどを施したり、エプロン本体についてもプリント地を使用したり、刺繍を施したりして、自立支援エプロン全体に、装飾性を持たせてもよいことは当然である。
【００３１】
着用の状態は、図９および１０に示すが、開口部３５を胸元から首に向けて、首掛け部３１が首前面に当接するまで嵌入し、当接後、首掛け部を後頭部側に、エプロン本体２を胸元に来るよう回せば、係止着用が完了する。また、外す時は、逆にすれば容易に外す事ができる。また、係止部３は全体として軽量であり、しかも、剛性を有するので取り扱いが容易であり、前述のようなハンディキャップを持つ着用者でも自力で確実に、かつ、簡単に係止着用でき、しかも、係止部が構成する首嵌入部３８は首の太さに対して十分大きいので、首を圧迫することもない。
【００３２】
以上、本発明によれば、手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンを提供することができる。
【図面の簡単な説明】
【００３３】
【図１】本発明の一実施形態にかかる自立支援エプロンの正面図である。
【図２】図１における左側面図である。
【図３】図１における係止部を拡大した正面部分断面図である。
【図４】図３における係止部の右側面部分断面図である。
【図５】図３における握り部の一体化の他の方法を示す断面図である。
【図６】図３における握り部の一体化の他の方法を示す断面図である。
【図７】図３における握り部の一体化の他の方法を示す断面図である。
【図８】図３における袋状の収容部の構成を示す断面図である。
【図９】本発明になる自立支援エプロンの着用の状態を示す前面斜視図である。
【図１０】図９における右側面斜視図である。
【符号の説明】
【００３４】
１    自立支援エプロン
２    エプロン本体
３    係止部
２１  収容部
２２  開閉具
２３  ポケット
３１  首掛け部
３２  挿入部
３３  接続部
３４  棒状体
３５  開口部
３６  連結部
３７  握り部
３８  首嵌入部
【図１】
2008240180.tif 000003
【図２】
2008240180.tif 000004
【図３】
2008240180.tif 000005
【図４】
2008240180.tif 000006
【図５】
2008240180.tif 000007
【図６】
2008240180.tif 000008
【図７】
2008240180.tif 000009
【図８】
2008240180.tif 000010
【図９】
2008240180.tif 000011
【図１０】
2008240180.tif 000012